(57)【要約】【課題】燃料電池スタックよりの電力を取出す一対の電力端子を燃料電池スタックの外部に並べて配置した小型化に好適な燃料電池スタックを提供する。【解決手段】複数の燃料電池セルを積層したセル積層体２の積層端に、集電板３を有する保持部材としてのエンドプレート５を配置し、両端のエンドプレート５に固定して掛け渡したテンションプレート６によりセル積層体２の積層方向に所定の圧縮力を加える燃料電池スタック１であり、前記テンションプレート６は導電性を有し、テンションプレート６の一端は一方の保持部材（５）の集電板３Ａに電気的に接続され、他端は他方の保持部材（５）とは絶縁された状態で接続され且つ燃料電池スタック１の積層方向他方の端部が電力端子の一方８Ａとして構成されており、他方の集電板３Ｂに電気的に接続して燃料電池スタック１の積層方向他方の端部に配置した電力端子８Ｂと共に、一対の電力端子を構成した。【選択図】図１
2008293740.tif 000002
【特許請求の範囲】
【請求項１】
複数の燃料電池セルを積層して構成したセル積層体の積層端に、集電板を有する保持部材を配置し、両端の保持部材に固定して掛け渡したテンション部材により前記セル積層体の積層方向に所定の圧縮力を加えるようにした燃料電池スタックにおいて、
前記テンション部材は導電性を有し、前記テンション部材の一端は一方の保持部材の集電板に電気的に接続され、他端は他方の保持部材とは絶縁された状態で接続され且つ燃料電池スタックの積層方向他方の端部が電力端子の一方として構成されており、他方の集電板に電気的に接続して燃料電池スタックの積層方向他方の端部に配置した電力端子と共に、一対の電力端子を構成することを特徴とする燃料電池スタック。
【請求項２】
前記一方の集電板に電気的に接続されるテンション部材は、鋼材に比較して導電性の高い金属材により構成していることを特徴とする請求項１に記載の燃料電池スタック。
【請求項３】
前記一方の集電板に電気的に接続されるテンション部材は、鋼材と鋼材に比較して導電性の高い金属材とを重ね合わせて構成していることを特徴とする請求項１に記載の燃料電池スタック。
【請求項４】
前記テンション部材を複数備え、前記一方の集電板に電気的に接続されるテンション部材は、他のテンション部材と同等の剛性を備えるよう構成されることを特徴とする請求項２または請求項３に記載の燃料電池スタック。
【請求項５】
前記一方の集電板に電気的に接続されるテンション部材は、燃料電池スタックのセル積層体を挟んで対峙する一対のテンション部材であることを特徴とする請求項１から請求項４のいずれか一つに記載の燃料電池スタック。
【請求項６】
前記一方の集電板に電気的に接続されるテンション部材は、一方の集電板に一体に形成されていることを特徴とする請求項１から請求項４のいずれか一つに記載の燃料電池スタック。
【発明の詳細な説明】
【技術分野】
【０００１】
本発明は、複数の燃料電池セルを積層したセル積層体の積層端に集電板およびエンドプレートを配して一体化させた燃料電池スタックに関し、特に、燃料電池スタックよりの電力を取出す一対の電力端子を燃料電池スタックの外部に並べて配置した燃料電池スタックに関するものである。
【背景技術】
【０００２】
従来から燃料電池スタックよりの電力を取出す一対の電力端子を燃料電池スタックの外部に並べて配置した燃料電池スタックが提案されている（特許文献１参照）。
【０００３】
これは、セル積層体の両側に配設された集電板に夫々エンドプレートを貫通させて接続端子が形成され、いずれか一方の接続端子にはバスバーの一端が接続され、このバスバーはスタック本体の積層方向に延長されて、その他端が他方の接続端子に近接する位置に配置されて、バスバーの他端と前記他方の接続端子とよりなる一対の電力端子から電力を取出すよう構成している（図１）。
【特許文献１】特開２００４−７１２３０号公報
【発明の開示】
【発明が解決しようとする課題】
【０００４】
しかしながら、上記従来例では、燃料電池スタックよりの電力を取出す一対の電力端子を燃料電池スタックの外部に並べて配置するために、少なくとも接続端子の間隔寸法の長さを備えるバスバー（電線）を、燃料電池スタックの外部に配置するものであるため、燃料電池スタックの小型化に課題があった。
【０００５】
そこで本発明は、上記問題点に鑑みてなされたもので、燃料電池スタックよりの電力を取出す一対の電力端子を燃料電池スタックの外部に並べて配置した小型化に好適な燃料電池スタックを提供することを目的とする。
【課題を解決するための手段】
【０００６】
本発明は、複数の燃料電池セルを積層して構成したセル積層体の積層端に、集電板を有する保持部材を配置し、両端の保持部材に固定して掛け渡したテンション部材により前記セル積層体の積層方向に所定の圧縮力を加えるようにした燃料電池スタックにおいて、前記テンション部材は導電性を有し、前記テンション部材の一端は一方の保持部材の集電板に電気的に接続され、他端は他方の保持部材とは絶縁された状態で接続され且つ燃料電池スタックの積層方向他方の端部が電力端子の一方として構成されており、他方の集電板に電気的に接続して燃料電池スタックの積層方向他方の端部に配置した電力端子と共に、一対の電力端子を構成した。
【発明の効果】
【０００７】
したがって、本発明では、テンション部材は導電性を有し、前記テンション部材の一端は一方の保持部材の集電板に電気的に接続され、他端は他方の保持部材とは絶縁された状態で接続され且つ燃料電池スタックの積層方向他方の端部が電力端子の一方として構成されており、他方の集電板に電気的に接続して燃料電池スタックの積層方向他方の端部に配置した電力端子と共に、一対の電力端子を構成することにより、燃料電池スタックの少なくとも一つのテンション部材がバスバーとしての機能を備えることになり、少なくとも集電板間の寸法分の長さをもつ燃料電池スタックの外部に設けるバスバー（電線）を省略でき、燃料電池スタックの小型化が可能になる。
【発明を実施するための最良の形態】
【０００８】
以下、本発明の燃料電池スタックを各実施形態に基づいて説明する。
【０００９】
（第１実施形態）
図１は、本発明を適用した第１実施形態の燃料電池スタックの第１実施例を示す概略平面図である。図１において、本実施形態の燃料電池スタック１は、複数の燃料電池セルを積層して構成したセル積層体２の積層端の外側に、集電板３、絶縁層４およびエンドプレート５をこの順に積層配置して構成している。前記両エンドプレート５同士はテンション部材としてのテンションプレート６が架け渡され、これらテンションプレート６の端部が各々エンドプレート５にボルトにより固定されることにより、燃料電池セルのセル積層体２の積層方向に所定の圧縮力（締結荷重）を加えるようにしている。
【００１０】
前記燃料電池セルは、図示しないが、イオン交換膜からなる電解質膜及びこれを両面から挟んだ一対の電極からなる膜・電極接合体と、この膜・電極接合体を外側から挟持する一対のセパレータと、で構成されている。セパレータは、例えば金属やカーボン等を基材とする導電体であり、各電極に空気等のカソードガス及び水素ガス等のアノードガスを供給するためのガス流路を有する。各電極に供給されたカソードガス及びアノードガスは、燃料電池セルの膜・電極接合体内において電気化学反応を生じさせて起電力を発生させる。また、前記電気化学反応は発熱反応であり、燃料電池冷却用の冷媒（冷却水等）を流すための冷媒流路も前記セパレータに設けられている。
【００１１】
また、前記燃料電池スタック１を構成する各燃料電池セル、集電板３、絶縁層４および一方のエンドプレート５には、図示しないが前記ガス流路および冷媒流路に夫々独立して連通するマニホールド形成用の貫通穴が形成され、これら貫通穴が重ね合わせられて、アノードガス流通用、カソードガス流通用及び冷媒流通用のマニホールドがセル積層方向に貫通形成されている。
【００１２】
前記集電板３は、鉄、ステンレス、銅、アルミニウム等の金属で板状に形成され、積層された燃料電池セルの積層体の積層端に直接接触するように配置されている。集電板３のセル積層体２に接触する表面には、金、銀、アルミ、ニッケル、亜鉛、すず等を用いためっき処理等の表面処理が施されて、セル積層体２との接触抵抗が確保されている。
【００１３】
前記絶縁層４は、絶縁性材料で構成されており、集電板３とエンドプレート５とを絶縁する機能とセル積層体２とエンドプレート５との間の断熱機能とを備える。絶縁層４を構成する絶縁性材料としては、エポキシ樹脂等の熱硬化性樹脂、ポリアミドやナイロン系等の熱に強い熱可塑性樹脂、アルミナ、酸化物性セラミックスシート、等を採用することができる。また、前記エンドプレート５は、集電板３と同様に、各種金属（鉄、ステンレス、銅、アルミニウム等）で板状に形成される。なお、エンドプレートが樹脂であるならば、絶縁層は省略できる。
【００１４】
前記燃料電池スタック１に積層された一対の集電板３は、一方の集電板３Ａ（以下では「第１集電板３Ａ」という）には積層方向の側方から延在させた接続端子７Ａを一体に設け、他方の集電板３Ｂ（以下では「第２集電板３Ｂ」という）には積層方向外側に積層されている絶縁層４および他方のエンドプレート５Ｂに設けた貫通穴を貫通させて接続端子７Ｂを一体に設けている。第２集電板３Ｂに一体となった接続端子７Ｂの先端には一方の電力端子８Ｂが接続される。
【００１５】
前記第１集電板３Ａの接続端子７Ａは絶縁体９を介在させてエンドプレート５Ａ（以下では「第１エンドプレート５Ａ」という）の側面に沿って折曲げて配置されている。第１集電板３Ａの前記折り曲げ端には燃料電池スタック１の一方の面に配置されるテンションプレート６Ａの一端を第１エンドプレート５Ａに固定するボルト１０を絶縁カラー１１も含めて、貫通させる取付穴が形成されている。即ち、前記一方のテンションプレート６Ａの端部は、前記第１集電板３Ａの折り曲げ端と共に絶縁カラー１１を備えるボルト１０により第１エンドプレート５Ａに共締めされる。
【００１６】
前記一方のテンションプレート６Ａは燃料電池スタック１の積層方向に延在し、他方のエンドプレート５Ｂ（以下では「第２エンドプレート５Ｂ」という）の側面に位置する部分において、絶縁体９を介在させて第２エンドプレート５Ｂの側面に接触し、同じく絶縁カラー１１を備えるボルト１０により他方のエンドプレート５Ｂの側面に固定される。そして、前記一方のテンションプレート６Ａは第２エンドプレート５Ｂを超えて延在されて、その先端部を燃料電池スタック１の一方の電力端子８Ａに構成し、当該一方のテンションプレート６Ａは第１集電板３Ａと電気的に接続され、両エンドプレート５と絶縁され、セル積層体２とは隙間により絶縁状態となったバスバーの機能を備える構成としている。なお、前記一方のテンションプレート６ちと対向して燃料電池スタック１の他方の面に配置される他方のテンションプレート６Ｂは、その両端が、第１，２エンドプレート５Ａ、５Ｂの側面に、絶縁カラーを介することなくボルト１０により固定されている。
【００１７】
以上の構成により一体となった燃料電池スタック１は、一対の電力端子８Ａ、８Ｂを外部に突き出した状態でケース２０に収容される。
【００１８】
以上の構成になる燃料電池スタック１においては、燃料電池スタック１のテンションプレート６Ａがバスバーとしての機能を備えるため、少なくとも燃料電池スタック１の集電板３Ａ、３Ｂの間隔寸法分の長さを備えて燃料電池スタック１の外周に配置されるバスバー（電線）をなくすことができ、燃料電池スタック１の小型化が可能になる。
【００１９】
前記燃料電池スタック１の第１，２エンドプレート５Ａ、５Ｂ同士を連結する対峙した一対のテンションプレート６Ａ、６Ｂの少なくとも一方のテンションプレート６Ａは、鋼材に比べて導電性の高い材料（例えば、銅やアルミニウム若しくはこれらの合金）とすることにより、バスバーとしての機能、即ち、電気抵抗を低くすることができ、スタック電流を流すことにより発生する熱を抑制することが可能になる。（例えば、メッキの耐熱温度が同じ場合、鋼材を使用した場合に比べて少ない表面積でも耐熱温度に至らない形状とすることができる。）このためテンションプレート６Ａを小型化することができる。
【００２０】
この場合に、一方と他方のテンションプレート６Ａ、６Ｂの構成材料が相違するため、その引張り剛性を同一、即ち、対峙するテンションプレート６Ａ、６Ｂの伸びを同一にして、燃料電池スタック１の反りを防止する必要がある。引張り剛性を同一にするためには、夫々の引張り剛性に対応して断面形状、例えば、板厚寸法や板幅寸法が互いに相違したテンションプレート６Ａ、６Ｂを使用することが現実的である。
【００２１】
図２に示す燃料電池スタック１の第２実施例では、前記燃料電池スタック１を複数個直列に接続する場合における接続例を示すものである。図示の例は、２個の燃料電池スタック１Ａ、１Ｂを直列に接続しているが、３個以上の燃料電池スタック１を接続する場合であっても、同様に接続可能である。ここでは、２個の燃料電池スタック１Ａ、１Ｂを直列接続してケース２０内に収容する場合について、説明する。
【００２２】
即ち、２個の燃料電池スタック１Ａ、１Ｂを備える場合、図中上方の第１燃料電池スタック１Ａのテンションプレート６Ａは第１燃料電池スタック１Ａの第１集電板３Ａと接続されて一方の電力端子８Ａ（１）を構成する。第１燃料電池スタック１Ａの第２集電板３Ｂと一体となった接続端子７Ｂはバスバー（電力端子８Ｂ（１））を介して第２燃料電池スタック１Ｂの第１集電板３Ａと接続されているテンションプレート６Ａに形成された出力端子８Ａ（２）と電気的に接続され、第２燃料電池スタック１Ｂの第２集電板３Ｂと一体となった接続端子７Ｂに接続されたバスバー（電力端子８Ｂ（２））が他方の電力端子を構成する。
【００２３】
なお、３個以上の燃料電池スタック１を直列接続する場合においても、同様に第１集電板３Ａに接続されてバスバーを構成しているテンションプレート６Ａの電力端子８Ａと第２集電板３Ｂと一体となった接続端子７Ｂとを相互にバスバーにより接続することにより直列接続を実現することができる。
【００２４】
この構成においては、テンションプレート６Ａがバスバーとしての機能を兼ね備えるため、複数の燃料電池スタック１を直列接続して備える燃料電池スタック１においても小型化が可能になる。
【００２５】
図３に示す燃料電池スタック１の第３実施例では、バスバーとして機能するテンションプレート６Ａを、例えば、鋼材等の強度特性に優れる材料６Ａ１と、例えば、銅等の導電性が高い材料６Ａ２とを一体化させて構成した燃料電池スタック１である。このように、バスバーとして機能するテンションプレート６Ａを構成することにより、燃料電池スタック１の小型化を実現しながら、コストバランスにすぐれた構造とすることができる。
【００２６】
なお、この場合においても、一方と他方のテンションプレート６Ａ、６Ｂの構成材料が相違するため、その引張り剛性を同一、即ち、対峙するテンションプレート６Ａ、６Ｂの伸びを同一にして、燃料電池スタック１の反りを防止する必要がある。このためには、夫々の引張り剛性に対応して断面形状、例えば、板厚寸法や板幅寸法が互いに相違したテンションプレート６Ａ、６Ｂを使用してもよい。なお、この実施例では、引張り剛性を同一にするためには、燃料電池スタック１におけるセル積層体２の積層方向に所定の圧縮力（締結荷重）を加える機能をテンションプレート６Ａの鋼材（６Ａ１）側に受持たせ、銅等の導電性が高い材料（６Ａ２）にはバスバーの機能を持たせるようにして、夫々の機能を分担させる方法も考えられる。
【００２７】
なお、上記実施形態において、燃料電池スタック１の対峙する一対のテンションプレート６Ａ、６Ｂとして、四角柱状に通常形成される燃料電池スタック１の対向する２辺に配置されるテンションプレート６Ａ、６Ｂについて説明した。しかし、図示はしないが、残る２辺にも対峙するテンションプレートを備えるものであってもよく、この２辺のテンションプレートは剛性の比較的高い鋼材により構成するものであってもよい。
【００２８】
本実施形態においては、以下に記載する効果を奏することができる。
【００２９】
（ア）複数の燃料電池セルを積層して構成したセル積層体２の積層端に、集電板３を有する保持部材としてのエンドプレート５を配置し、両端のエンドプレート５に固定して掛け渡したテンション部材としてのテンションプレート６により前記セル積層体２の積層方向に所定の圧縮力を加えるようにした燃料電池スタック１において、前記テンション部材（６）は導電性を有し、前記テンション部材（６）の一端は一方の保持部材（５）の集電板３Ａに電気的に接続され、他端は他方の保持部材（５）とは絶縁された状態で接続され且つ燃料電池スタック１の積層方向他方の端部が電力端子の一方（８Ａ）として構成されており、他方の集電板３Ｂに電気的に接続して燃料電池スタック１の積層方向他方の端部に配置した電力端子８Ｂと共に、一対の電力端子を構成した。このため、燃料電池スタック１の少なくとも一つのテンションプレート６Ａがバスバーとしての機能を備えることになり、少なくとも集電板３間の寸法分の長さをもつ燃料電池スタック１の外部に設けるバスバー（電線）を省略でき、燃料電池スタック１の小型化が可能になる。
【００３０】
（イ）一方の集電板３Ａに電気的に接続されるテンションプレート６Ａは、鋼材に比較して導電性の高い金属材（例えば、銅やアルミニウムおよびそれらの合金）により構成していることにより、バスバーとしての機能（電気抵抗を低くする）を高めることができ、スタック電流を流すことにより発生する熱を抑制することが可能になる。このため、テンションプレート６Ａを小型化することができる。
【００３１】
（ウ）一方の集電板３Ａに電気的に接続されるテンションプレート６Ａは、鋼材（６Ａ１）と鋼材に比較して導電性の高い金属材（６Ａ２）とを重ね合わせて構成していることにより、鋼材に比べて導電性の高い材料の使用範囲を限定でき、小型化を実現しながらコストを低く抑えることが可能になる。
【００３２】
（エ）テンション部材としてのテンションプレート６を複数備え、一方の集電板３Ａに電気的に接続されるテンションプレート６Ａは、他のテンションプレート６Ｂと同等の剛性を備えるよう構成されることにより、セル積層体２を挟んで対峙するテンションプレート６Ａ、６Ｂの伸びを同一にでき、燃料電池スタック１の反りを防止することが可能になる。
【００３３】
（第２実施形態）
図４，５は、本発明を適用した燃料電池スタックの第２実施形態を示し、図４は燃料電池スタックの第１実施例を示す概略平面図、図５は燃料電池スタックの第２実施例を示す概略平面図である。本実施形態においては、燃料電池スタックの側方に対峙して設ける一対のテンションプレートの両者を第１集電板に電気的に接続するようにした構成を第１実施形態に追加したものである。なお、図１〜図３と同一装置・部材には同一符号を付してその説明を省略ないし簡略化する。
【００３４】
図４において、第１実施形態の燃料電池スタック１においては、燃料電池スタック１の側方に対峙させて設ける一対のテンションプレート６Ａ、６Ｂの両者を第１集電板３Ａに電気的に接続して構成している。また、一対のテンションプレート６Ａ、６Ｂの一端は、第１エンドプレート５Ａの側面に絶縁体９を介して接触し、絶縁カラー１１を備えるボルト１０により絶縁された状態でエンドプレート５Ａの側面に固定されている。前記一対のテンションプレート６Ａ、６Ｂの他端は、第２集電板３Ｂに絶縁層４を介在させた第２エンドプレート５この側面に絶縁材１３を介して積層した導電体１４にボルト１０により固定し、一方のテンションプレート６Ａは更に延設して一方の電力端子８Ａを構成している。なお、第２集電板３Ｂと絶縁された第２エンドエンドプレート５Ｂに対して両側のテンションプレート６Ａ、６Ｂを固定して、前記導電体１４を省略してもよい。また、テンションプレートは、一端が集電板に電気的に接続され（固定箇所は、保持部材であればよい）、他端が絶縁された保持部材（絶縁部材、又は絶縁材を介した導電性部材）と固定すればよい。また、集電板に十分な剛性（厚み）があれば（例えば、エンドプレートと同等）、エンドプレートは不要である。その他の構成は、第１実施形態と同様に構成している。
【００３５】
この実施例の構成においては、対峙するテンションプレート６Ａ、６Ｂの両端が互いに電気的に接続され、第１集電板３Ａと対峙するテンションプレート６Ａ、６Ｂと外部への電力端子８Ａに至る部位の電位が同一となる。そのため、対峙する両方のテンションプレート６Ａ、６Ｂの双方の表面を放熱に利用することができ、テンションプレート６Ａ、６Ｂを小さくすることができ、燃料電池スタック１の小型化が可能になる。
【００３６】
なお、この場合においては、一方と他方のテンションプレート６Ａ、６Ｂの構成材料が同じであるため、その引張り剛性を同一、即ち、対峙するテンションプレート６Ａ、６Ｂの伸びが同一となり、燃料電池スタック１の反りが発生することもない。また、第１実施形態の第２実施例に示すと同様の手段により、複数の燃料電池スタック１を直列に接続して組合わせることもできる。
【００３７】
図５に示す第２実施例の燃料電池スタック１においては、対峙する一対のテンションプレート６Ａ、６Ｂを第１集電板３Ａと一体に形成したことを特徴とする。一対のテンションプレート６Ａ、６Ｂの第１集電板３Ａ側には絶縁板１５の一端がボルト１０により固定され、絶縁板１５の他端は、第１集電板３Ａに絶縁層４を介して積層される第１エンドプレート５Ａの側面にボルト１０により固定して、第１エンドプレート５Ａが一体化されている。その他の構成は第１実施例の燃料電池スタック１と同様に構成している。
【００３８】
この実施例では、テンションプレート６Ａ、６Ｂの一方を第１集電板３Ａと一体とした構造を備えることにより、テンションプレート６Ａ、６Ｂと第１集電板３Ａとの接合部に発生する応力集中を緩和することができ、接合部の小型化が可能となり、結果として燃料電池スタック１の小型化が可能になる。
【００３９】
なお、上記実施形態において、第１集電板３Ａに絶縁層４を介在させて積層される第１エンドプレート５Ａの固定方法として、対峙する一対のテンションプレート６Ａ、６Ｂの第１集電板３Ａ側の端部若しくは絶縁板１５を利用して固定するものについて説明した。しかし、図示はしないが、四角柱状に通常形成される燃料電池スタック１の残る対向する２辺に対峙させて設けるテンションプレートの端部を第１、２エンドプレート５Ａ、５Ｂに固定して備えるものであってもよく、この２辺のテンションプレートは剛性の比較的高い鋼材により構成するものであってもよい。また、第１集電板３Aと絶縁板１５は、接着や、ケース２０からボルトによって共締めする接続方法がある。
【００４０】
本実施形態においては、第１実施形態における効果（ア）〜（エ）に加えて以下に記載した効果を奏することができる。
【００４１】
（オ）一方の集電板３Ａに電気的に接続されるテンションプレート６Ａ、６Ｂは、燃料電池スタック１のセル積層体２を挟んで対峙する一対のテンションプレート６Ａ、６Ｂであることにより、集電板３Ａ、対峙するテンションプレート６Ａ、６Ｂおよび外部への電力端子８Ａに至る部位の電位が同一となり、対峙するテンションプレート６Ａ、６Ｂの双方の表面を放熱に利用でき、テンションプレート６Ａ、６Ｂを小さく形成することが可能になる。
【００４２】
（カ）一方の集電板３Ａに電気的に接続されるテンションプレート６Ａ、６Ｂは、一方の集電板３Ａに一体に形成されていることにより、テンションプレート６Ａ、６Ｂと集電板３Ａとの接続部における応力集中を緩和することができ、テンションプレート６Ａ、６Ｂと集電板３Ａとの接続部の小型化が可能になる。
【図面の簡単な説明】
【００４３】
【図１】本発明の第１実施形態の燃料電池スタックの第１実施例を示す概略平面図。
【図２】同じく第１実施形態の燃料電池スタックの第２実施例を示す概略平面図。
【図３】第１実施形態の燃料電池スタックの第３実施例を示す概略平面図。
【図４】本発明の第２実施形態の燃料電池スタックの第１実施例を示す概略平面図。
【図５】第２実施形態の燃料電池スタックの第２実施例を示す概略平面図。
【符号の説明】
【００４４】
１  燃料電池スタック
２  セル積層体
３、３Ａ、３Ｂ  集電板
４  絶縁層
５、５Ａ、５Ｂ  エンドプレート
６、６Ａ、６Ｂ  テンション部材としてのテンションプレート
７Ａ、７Ｂ  接続端子
８Ａ、８Ｂ  電力端子
９  絶縁体
１０  ボルト
１１  絶縁カラー
【図１】
2008293740.tif 000003
【図２】
2008293740.tif 000004
【図３】
2008293740.tif 000005
【図４】
2008293740.tif 000006
【図５】
2008293740.tif 000007